(57)【要約】【課題】駐車場内の特定のエリアを利用した利用者にサービス券を発行することができるサービス券発行システムを提供する。【解決手段】特定エリア入場車番読取器と、サーバ装置と、サービス券発行端末を含み、特定エリア入場車番読取器は、特定駐車エリアに入場する車両の車番を読み取って、読み取った車番をサーバ装置に送信し、サーバ装置は、受信した車番を特定車両リストに記憶し、サービス券発行端末から受信した問い合わせに含まれる車番と特定車両リストとを照合し、特定車両リスト内に問い合わせに含まれる車番が存在する場合には、サービス券発行許可情報をサービス券発行端末に送信し、サービス券発行端末は、車番記録媒体から車番を取得した場合に、取得した車番を含む問い合わせをサーバ装置に送信し、サーバ装置からサービス券発行許可情報を受信した場合に、サービス券を発行する。【選択図】図１
2017111524.tif 000002
【特許請求の範囲】
【請求項１】
特定エリア入場車番読取器と、サーバ装置と、サービス券発行端末を含むサービス券発行システムであって、
前記特定エリア入場車番読取器は、
駐車場内の特定のエリアである特定駐車エリアに入場する車両の車番を読み取って、前記読み取った車番を前記サーバ装置に送信し、
前記サーバ装置は、
前記車番を受信した場合に、前記受信した車番を特定車両リストに記憶し、前記サービス券発行端末から問い合わせを受信した場合に、前記問い合わせに含まれる車番と前記特定車両リストとを照合し、前記特定車両リスト内に前記問い合わせに含まれる車番が存在する場合には、サービス券発行許可情報を前記サービス券発行端末に送信し、
前記サービス券発行端末は、
前記車番を記録した媒体である車番記録媒体から前記車番を取得した場合に、前記取得した車番を含む前記問い合わせを前記サーバ装置に送信し、前記サーバ装置から前記サービス券発行許可情報を受信した場合に、サービス券を発行する
サービス券発行システム。
【請求項２】
特定エリア入場車番読取器と、サーバ装置と、サービス券発行端末を含むサービス券発行システムであって、
前記特定エリア入場車番読取器は、
駐車場内の特定のエリアである特定駐車エリアに入場する車両の車番を読み取って、前記読み取った車番を前記サーバ装置に送信し、
前記サーバ装置は、
前記車番を受信した場合に、前記受信した車番を特定車両リストに記憶し、前記サービス券発行端末から問い合わせを受信した場合に、前記問い合わせに含まれる車番と前記特定車両リストとを照合し、前記特定車両リスト内に前記問い合わせに含まれる車番が存在する場合には、サービス券発行許可情報を前記サービス券発行端末に送信し、
前記サービス券発行端末は、
利用者が手動で前記車番を入力する入力部を備え、
前記入力部から前記車番を取得した場合に、前記取得した車番を含む前記問い合わせを前記サーバ装置に送信し、前記サーバ装置から前記サービス券発行許可情報を受信した場合に、サービス券を発行する
サービス券発行システム。
【請求項３】
入場口車番読取器と、駐車券発行端末と、特定エリア入場車番読取器と、サーバ装置と、サービス券発行端末を含むサービス券発行システムであって、
前記入場口車番読取器は、
駐車場に入場する車両の車番を読み取って、前記読み取った車番を前記サーバ装置に送信し、
前記駐車券発行端末は、
前記車両の前記駐車場への入場を検知して、駐車券ＩＤを記録した駐車券を発行し、前記駐車券ＩＤを前記サーバ装置に送信し、
前記特定エリア入場車番読取器は、
前記駐車場内の特定のエリアである特定駐車エリアに入場する車両の車番を読み取って、前記読み取った車番を前記サーバ装置に送信し、
前記サーバ装置は、
前記入場口車番読取器から前記車番を、前記駐車券発行端末から前記駐車券ＩＤをそれぞれ受信した場合に、前記車番と前記駐車券ＩＤとを対応付けて車番−駐車券テーブルに記憶し、前記特定エリア入場車番読取器から前記車番を受信した場合に、前記特定エリア入場車番読取器から受信した車番を、前記車番−駐車券テーブルにおいて対応する駐車券ＩＤと対応付けて特定車両リストに記憶し、前記サービス券発行端末から問い合わせを受信した場合に、前記問い合わせに含まれる駐車券ＩＤと前記特定車両リストとを照合し、前記特定車両リスト内に前記問い合わせに含まれる駐車券ＩＤが存在する場合には、サービス券発行許可情報を前記サービス券発行端末に送信し、
前記サービス券発行端末は、
前記駐車券から前記駐車券ＩＤを取得した場合に、前記取得した駐車券ＩＤを含む前記問い合わせを前記サーバ装置に送信し、前記サーバ装置から前記サービス券発行許可情報を受信した場合に、サービス券を発行する
サービス券発行システム。
【請求項４】
特定エリア入場ＲＦＩＤ読取器と、サーバ装置と、サービス券発行端末を含むサービス券発行システムであって、
前記特定エリア入場ＲＦＩＤ読取器は、
駐輪場内の特定のエリアである特定駐輪エリアに入場する自転車のＲＦＩＤ番号を読み取って、前記読み取ったＲＦＩＤ番号を前記サーバ装置に送信し、
前記サーバ装置は、
前記ＲＦＩＤ番号を受信した場合に、前記受信したＲＦＩＤ番号を特定車両リストに記憶し、前記サービス券発行端末から問い合わせを受信した場合に、前記問い合わせに含まれるＲＦＩＤ番号と前記特定車両リストとを照合し、前記特定車両リスト内に前記問い合わせに含まれるＲＦＩＤ番号が存在する場合には、サービス券発行許可情報を前記サービス券発行端末に送信し、
前記サービス券発行端末は、
前記ＲＦＩＤ番号を記録した媒体であるＲＦＩＤ番号記録媒体から前記ＲＦＩＤ番号を取得した場合に、前記取得したＲＦＩＤ番号を含む前記問い合わせを前記サーバ装置に送信し、前記サーバ装置から前記サービス券発行許可情報を受信した場合に、サービス券を発行する
サービス券発行システム。
【請求項５】
特定エリア入場ＲＦＩＤ読取器と、サーバ装置と、サービス券発行端末を含むサービス券発行システムであって、
前記特定エリア入場ＲＦＩＤ読取器は、
駐輪場内の特定のエリアである特定駐輪エリアに入場する自転車のＲＦＩＤ番号を読み取って、前記読み取ったＲＦＩＤ番号を前記サーバ装置に送信し、
前記サーバ装置は、
前記ＲＦＩＤ番号を受信した場合に、前記受信したＲＦＩＤ番号を特定車両リストに記憶し、前記サービス券発行端末から問い合わせを受信した場合に、前記問い合わせに含まれるＲＦＩＤ番号と前記特定車両リストとを照合し、前記特定車両リスト内に前記問い合わせに含まれるＲＦＩＤ番号が存在する場合には、サービス券発行許可情報を前記サービス券発行端末に送信し、
前記サービス券発行端末は、
利用者が手動で前記ＲＦＩＤ番号を入力する入力部を備え、
前記入力部から前記ＲＦＩＤ番号を取得した場合に、前記取得したＲＦＩＤ番号を含む前記問い合わせを前記サーバ装置に送信し、前記サーバ装置から前記サービス券発行許可情報を受信した場合に、サービス券を発行する
サービス券発行システム。
【請求項６】
入場口ＲＦＩＤ読取器と、駐輪券発行端末と、特定エリア入場ＲＦＩＤ読取器と、サーバ装置と、サービス券発行端末を含むサービス券発行システムであって、
前記入場口ＲＦＩＤ読取器は、
駐輪場に入場する自転車のＲＦＩＤ番号を読み取って、前記読み取ったＲＦＩＤ番号を前記サーバ装置に送信し、
前記駐輪券発行端末は、
前記自転車の前記駐輪場への入場を検知して、駐輪券ＩＤを記録した駐輪券を発行し、前記駐輪券ＩＤを前記サーバ装置に送信し、
前記特定エリア入場ＲＦＩＤ読取器は、
前記駐輪場内の特定のエリアである特定駐輪エリアに入場する自転車のＲＦＩＤ番号を読み取って、前記読み取ったＲＦＩＤ番号を前記サーバ装置に送信し、
前記サーバ装置は、
前記入場口ＲＦＩＤ読取器から前記ＲＦＩＤ番号を、前記駐輪券発行端末から前記駐輪券ＩＤをそれぞれ受信した場合に、前記ＲＦＩＤ番号と前記駐輪券ＩＤとを対応付けてＲＦＩＤ番号−駐輪券テーブルに記憶し、前記特定エリア入場ＲＦＩＤ読取器から前記ＲＦＩＤ番号を受信した場合に、前記特定エリア入場ＲＦＩＤ読取器から受信したＲＦＩＤ番号を、前記ＲＦＩＤ番号−駐輪券テーブルにおいて対応する駐輪券ＩＤと対応付けて特定車両リストに記憶し、前記サービス券発行端末から問い合わせを受信した場合に、前記問い合わせに含まれる駐輪券ＩＤと前記特定車両リストとを照合し、前記特定車両リスト内に前記問い合わせに含まれる駐輪券ＩＤが存在する場合には、サービス券発行許可情報を前記サービス券発行端末に送信し、
前記サービス券発行端末は、
前記駐輪券から前記駐輪券ＩＤを取得した場合に、前記取得した駐輪券ＩＤを含む前記問い合わせを前記サーバ装置に送信し、前記サーバ装置から前記サービス券発行許可情報を受信した場合に、サービス券を発行する
サービス券発行システム。
【請求項７】
コンピュータを請求項１から６の何れかに記載のサービス券発行システムにおけるサーバ装置として機能させるプログラム。
【発明の詳細な説明】
【技術分野】
【０００１】
本発明は、駐車場や駐輪場の特定のエリアを利用する利用者にサービス券を発行するサービス券発行システム、プログラムに関する。
【背景技術】
【０００２】
昨今、販促ツールとしてクーポン券が活用されている。例えば非特許文献１のクーポンシステムでは、店舗運営者が顧客の携帯端末にクーポンコード付きのクーポンメールを送信し、顧客は店頭に設置したクーポン券発行端末にクーポンコードを読み取らせ、クーポン券発行端末は読み取ったクーポンコードに応じて顧客にクーポン券を発行する。発行されたクーポン券はＰＯＳリーダなどで読み取り可能である。
【先行技術文献】
【非特許文献】
【０００３】
【非特許文献１】株式会社コスモスターズ、“携帯販促［ＷＥＢアプリ］モバイルクーポンシステム「クルポクーポン」〜クーポン販促の新発想。〜”、［online］、平成 23年、株式会社コスモスターズ、［平成 27年 11月 30日検索］、インターネット〈 URL：http://qrupo.jp/〉
【発明の概要】
【発明が解決しようとする課題】
【０００４】
従来のクーポン（サービス券）として、来店を機に発行されるタイプや、商品の購入を機に発行されるタイプのクーポン（サービス券）などがあるが、駐車場の特定のエリアの利用を機に発行されるタイプのクーポン（サービス券）は存在しなかった。例えば発行済みのクーポン（サービス券）やポイントを駐車場料金の精算に用いるアイデアはよく見受けられるものの、駐車場の特定のエリアを利用した際に、その利用に際しクーポン（サービス券）を発行するという発想がなかった。
【０００５】
そこで本発明では、駐車場内の特定のエリアを利用した利用者にサービス券を発行することができるサービス券発行システムを提供することを目的とする。
【課題を解決するための手段】
【０００６】
本発明のサービス券発行システムは、特定エリア入場車番読取器と、サーバ装置と、サービス券発行端末を含む。
【０００７】
特定エリア入場車番読取器は、駐車場内の特定のエリアである特定駐車エリアに入場する車両の車番を読み取って、読み取った車番をサーバ装置に送信する。サーバ装置は、車番を受信した場合に、受信した車番を特定車両リストに記憶し、サービス券発行端末から問い合わせを受信した場合に、問い合わせに含まれる車番と特定車両リストとを照合し、特定車両リスト内に問い合わせに含まれる車番が存在する場合には、サービス券発行許可情報をサービス券発行端末に送信する。サービス券発行端末は、車番を記録した媒体である車番記録媒体から車番を取得した場合に、取得した車番を含む問い合わせをサーバ装置に送信し、サーバ装置からサービス券発行許可情報を受信した場合に、サービス券を発行する。
【発明の効果】
【０００８】
本発明のサービス券発行システムは、駐車場内の特定のエリアを利用した利用者にサービス券を発行することができる。
【図面の簡単な説明】
【０００９】
【図１】実施例１のサービス券発行システムの構成を示すブロック図。
【図２】実施例１の車番読取器の駐車場内での配置例を説明する図。
【図３】実施例１のサービス券発行システムの動作を示すシーケンス図。
【図４】実施例１で使用される特定車両リストを例示する図。
【図５】実施例２のサービス券発行システムの構成を示すブロック図。
【図６】実施例２の車番読取器の駐車場内での配置例を説明する図。
【図７】実施例２のサービス券発行システムの動作を示すシーケンス図。
【図８】実施例２で使用される車番−駐車券テーブルなどを例示する図。
【図９】実施例３のサービス券発行システムの構成を示すブロック図。
【図１０】実施例３のサービス券発行システムの動作を示すシーケンス図。
【図１１】実施例４のサービス券発行システムの構成を示すブロック図。
【図１２】実施例４のサービス券発行システムの動作を示すシーケンス図。
【発明を実施するための形態】
【００１０】
以下、本発明の実施の形態について、詳細に説明する。なお、同じ機能を有する構成部には同じ番号を付し、重複説明を省略する。
【実施例１】
【００１１】
以下、図１を参照して実施例１のサービス券発行システムの構成について説明する。図１は、本実施例のサービス券発行システム１の構成を示すブロック図である。図１に示すように、本実施例のサービス券発行システム１は、サーバ装置１０Ａと、特定エリア入場車番読取器１５と、特定エリア出場車番読取器２０と、車番記録媒体２５と、サービス券発行端末３０Ａと、ＰＯＳ端末３５を含む。特定エリア入場車番読取器１５、および特定エリア出場車番読取器２０は駐車場内の特定のエリアである特定駐車エリア４５内に存在するものとする。サーバ装置１０Ａ、特定エリア入場車番読取器１５、特定エリア出場車番読取器２０、サービス券発行端末３０Ａはネットワーク５０を介して通信可能に接続されている。ネットワーク５０は一般的には無線ＬＡＮでよいが、この他にも光通信、近距離無線通信などを利用してもよい。
【００１２】
以下、図２を参照して特定エリア入場車番読取器１５、および特定エリア出場車番読取器２０の駐車場内における配置例、およびこの配置例における各車番読取器の動作について説明する。図２は、本実施例の車番読取器１５、２０の駐車場内での配置例を説明する図である。図２に示すように、駐車場内の特定のエリアとして特定駐車エリア４５が予め設定されているものとする。利用者があまり利用したがらない駐車エリアを特定駐車エリア４５として設定することが望ましい。例えば、特定駐車エリア４５として自走式の複数階層を有する駐車場の屋上階などが考えられる。利用者が屋上階をあまり利用したがらない理由として、地上や、店舗と接続された中−下層階から離れておりアクセスが悪いこと、雨天時には傘が必要になり車両が雨にさらされてしまうこと、真夏には車内の温度が著しく高温になることなどが挙げられる。また例えば、複合商業施設付属の屋外駐車エリアであって当該の複合商業施設から距離が離れているものなどは、利用者から敬遠される場合もあり、このような駐車エリアも特定駐車エリア４５として適している。
【００１３】
上述した特定エリア入場車番読取器１５、特定エリア出場車番読取器２０はこのような特定駐車エリア４５の入場口、出場口にそれぞれ設置されているものとする。例えば、図２の例では、自走式の複数階層を有する駐車場の屋上階を特定駐車エリア４５として予め設定した。この場合、特定エリア入場車番読取器１５は、屋上階である特定駐車エリア４５への入場経路である入場スロープ４５１の途中の壁面、床面、天井面などに設置され、特定駐車エリア４５に入場する車両４０の車番を読み取る。同様に、特定エリア出場車番読取器２０は、屋上階である特定駐車エリア４５からの出場経路である出場スロープ４５２の途中の壁面、床面、天井面などに設置され、特定駐車エリア４５から出場する車両４０の車番を読み取る。なお、特定エリア出場車番読取器２０は必須ではない。ただし、特定エリア出場車番読取器２０を設置すれば、後述するようにサービス券を不正に取得することを防止するのに役立つ。
【００１４】
以下、図３を参照して本実施例のサービス券発行システム１の動作について説明する。図３は、本実施例のサービス券発行システム１の動作を示すシーケンス図である。図３に示すように、特定エリア入場車番読取器１５は、特定駐車エリア４５に入場する車両４０の車番を読み取って、読み取った車番をサーバ装置１０Ａに送信する（Ｓ１５１）。サーバ装置１０Ａは、車番を受信した場合に、受信した車番を特定車両リストに記憶する（Ｓ１０２Ａ）。特定車両リストの例を図４に示す。特定車両リストは、サーバ装置１０Ａの所定の記憶領域に記憶、保持されるものとする。特定車両リストは上述の手順で生成されるため、特定駐車エリア４５に入場した車両４０の車番を列挙するリストを意味する。
【００１５】
以下はサービス券の発行に際して実行される本システムの動作である。本実施例では、利用者は車番を記録した媒体である車番記録媒体２５を所持しているものとする。車番記録媒体２５として例えば、車番情報を磁気テープ、ＩＣチップなどに記憶させたカードなどが考えられる。あるいは、車番情報を表すＱＲコード（登録商標）やバーコードなどを表示した状態の携帯端末などでもよい。あるいは、車番情報を表すＱＲコードやバーコードなどを印刷した紙などでもよい。車番記録媒体２５がカードである場合、店舗内、あるいは駐車場内にカード発行端末を設けてもよい。この場合、利用者は端末の文字入力キーなどを操作して、自分の車両４０の車番を入力し、カード発行端末は入力された車番を何れかの方法でカードに記憶させ、カードを発行する。車番情報を表すＱＲコードやバーコードなどを携帯端末に表示させるためには、利用者は専用の携帯端末向けアプリケーションをダウンロード、インストールし、アプリケーションの画面上から自分の車両４０の車番を入力する。アプリケーションは、入力された車番をＱＲコードやバーコードなどに変換して携帯端末の画面に表示する。車番情報を表すＱＲコードやバーコードなどを紙などに印字するためには、前述同様、利用者は専用のアプリケーションをダウンロード、インストールし、アプリケーションの画面上から自分の車両４０の車番を入力する。アプリケーションは、入力された車番をＱＲコードやバーコードなどに変換し印刷可能な状態にする。利用者はこれをプリンタなどを用いて印刷して持参する。あるいは利用者は上述のＱＲコードやバーコードなどを表示したデスクトップＰＣなどの画面、ＱＲコードやバーコードなどを印刷した紙などを携帯端末などで撮影し、これを持参してもよい。なお後述する理由により、車番記録媒体２５は本発明において必須の構成要件ではない。
【００１６】
サービス券発行端末３０Ａは、例えば駐車場の出口付近、または付属する店舗内などに設置され、前述の車番記録媒体２５を読み込んで、車番記録媒体２５から車番を取得する（Ｓ３０１Ａ）。この場合、サービス券発行端末３０Ａは、取得した車番を含む問い合わせをサーバ装置１０Ａに送信する（Ｓ３０２Ａ）。なお、サービス券発行端末３０Ａに文字や数字を入力可能な入力部を設けておき、利用者がサービス券発行の際に自身の車番を入力部に手動で入力する構成としてもよい。この場合、車番記録媒体２５は不要となる。この場合も前述同様、サービス券発行端末３０Ａは、入力部に入力された車番を含む問い合わせをサーバ装置１０Ａに送信する（Ｓ３０２Ａ）。
【００１７】
サーバ装置１０Ａは、サービス券発行端末３０Ａから問い合わせを受信した場合に、問い合わせに含まれる車番と特定車両リストとを照合し、特定車両リスト内に問い合わせに含まれる車番が存在する場合には、サービス券発行許可情報をサービス券発行端末３０Ａに送信する（Ｓ１０３Ａ）。一方、サーバ装置１０Ａは、特定車両リスト内に問い合わせに含まれる車番が存在しない場合には、サービス券発行許可情報をサービス券発行端末３０Ａに送信しない。この場合サーバ装置１０Ａは、サービス券発行許可情報の代わりにサービス券発行拒否情報をサービス券発行端末３０Ａに送信してもよい。
【００１８】
サーバ装置１０Ａは、サービス券発行許可情報を例えば、特定駐車エリア４５の複数回の利用につき一回の頻度で、サービス券発行端末３０Ａに送信することとしてもよい。例えばサーバ装置１０Ａは、各営業日に取得された特定車両リストを過去の所定期間（例えば直近１ヶ月）に渡って蓄積しておき、サービス券発行端末３０Ａから問い合わせを受信した場合に、問い合わせに含まれる車番と蓄積済みの特定車両リストとを照合し、蓄積済みの特定車両リスト内に、問い合わせに含まれる車番がＮ回（例えば１０回）存在する場合には、サービス券発行許可情報をサービス券発行端末３０Ａに送信してもよい。
【００１９】
またサーバ装置１０Ａは、サービス券発行許可情報をサービス券発行端末３０Ａに送信した場合に、特定車両リスト内の対応する車番に紐づけてサービス券許可済みフラグを記録しておくこともできる。サーバ装置１０Ａは、サービス券発行端末３０Ａから問い合わせを受信した場合に、特定車両リスト内に問い合わせに含まれる車番が存在する場合であっても、当該車番に対応してサービス券許可済みフラグが記録されている場合には、サービス券発行許可情報を送信しないようにしてもよいし、あるいはサービス券発行拒否情報をサービス券発行端末３０Ａに送信してもよい。
【００２０】
上述したサービス券の種類は複数あってもよい。例えば、特定駐車エリア４５を複数種類設定しておき、それぞれのエリア毎に異なるサービス券を対応付けてもよい。この場合サーバ装置１０Ａは、特定駐車エリア４５の種別ごとに、特定車両リストを管理する。サービス券発行端末３０Ａから問い合わせを受信した場合であって、特定車両リスト内に問い合わせに含まれる車番が存在する場合、サーバ装置１０Ａは、該当する特定車両リストに応じたサービス券の種別に関する情報を記載したサービス券発行許可情報をサービス券発行端末３０Ａに送信する。
【００２１】
サービス券発行端末３０Ａは、サーバ装置１０Ａからサービス券発行許可情報を受信した場合に、サービス券を発行する（Ｓ３０３）。サービス券発行端末３０Ａは、サービス券発行許可情報にサービス券の種別に関する情報がある場合には、当該情報に従って対応する種別のサービス券を発行する。一方、サービス券発行端末３０Ａは、問い合わせを行ったにもかかわらず、サーバ装置１０Ａからサービス券発行許可情報を受信できなかった場合、あるいは代わりに前述のサービス券発行拒否情報を受信した場合には、サービス券を発行しない。
【００２２】
ＰＯＳ端末３５は、ステップＳ３０３で発行されたサービス券を読み取って、商品の割引処理、決済処理などを実行する（Ｓ３５１）。
【００２３】
特定エリア出場車番読取器２０は、特定駐車エリア４５から出場する車両４０の車番を読み取って、読み取った車番をサーバ装置１０Ａに送信する（Ｓ２０１）。サーバ装置１０Ａは、特定エリア出場車番読取器２０から車番を受信した場合に、当該車番を特定車両リストから削除する（図示略）。サーバ装置１０Ａがこのような動作を実行することで、サービス券を不正に取得することは困難になる。
【００２４】
本実施例のサービス券発行システム１によれば、特定駐車エリア４５に入場した車両４０の車番に対応させてサービス券を発行することができるため、特定駐車エリア４５が利用者から敬遠されがちな駐車エリアであった場合でも、その駐車エリアの利用を促進することができる。これにより、利用者から敬遠されがちな駐車エリアに空き車室があるのに、他の利便性の高い駐車エリアにおいて利用者が空き待ちをしているといった非効率な状態を一定程度防止することができ、駐車場全体の円滑な運用に寄与する。
【実施例２】
【００２５】
以下、図５を参照して実施例１のシステムと既存の駐車券システムとを組み合わせた実施例２のサービス券発行システムの構成について説明する。図５は、本実施例のサービス券発行システム２の構成を示すブロック図である。図５に示すように、本実施例のサービス券発行システム２は、サーバ装置１０Ｂと、特定エリア入場車番読取器１５と、特定エリア出場車番読取器２０と、サービス券発行端末３０Ｂと、ＰＯＳ端末３５と、入場口車番読取器６０と、出場口車番読取器６５と、駐車券発行端末７０Ｂと、駐車券７５を含む構成である。特定エリア入場車番読取器１５、および特定エリア出場車番読取器２０は実施例１と同様に、特定駐車エリア４５内に存在するものとする。入場口車番読取器６０、出場口車番読取器６５、および駐車券発行端末７０Ｂは、駐車場の入出場口が含まれるエリアである入出場口エリア５５内に存在するものとする。サーバ装置１０Ｂ、特定エリア入場車番読取器１５、特定エリア出場車番読取器２０、サービス券発行端末３０Ｂ、入場口車番読取器６０、出場口車番読取器６５、および駐車券発行端末７０Ｂはネットワーク５０を介して通信可能に接続されている。
【００２６】
以下、図６を参照して入場口車番読取器６０、および出場口車番読取器６５の駐車場内における配置例、およびこの配置例における各車番読取器の動作について説明する。図６は、本実施例の車番読取器６０、６５の駐車場内での配置例を説明する図である。図６に示すように、駐車場内の入出場口が含まれるエリアを、ここでは入出場口エリア５５と呼ぶ。
【００２７】
入場口車番読取器６０は駐車場の入口付近に設けられ、駐車場に入場する車両４０の車番を読み取る。一方、出場口車番読取器６５は、駐車場の出口付近に設けられ、駐車場から出場する車両４０の車番を読み取る。また駐車券発行端末７０Ｂは駐車場の入口付近に設けられ、車両４０の駐車場への入場を検知して、駐車券ＩＤを記録した駐車券７５を発行する。
【００２８】
以下、図７を参照して本実施例のサービス券発行システムの動作について説明する。図７は、本実施例のサービス券発行システム２の動作を示すシーケンス図である。図７に示すように、入場口車番読取器６０は、駐車場に入場する車両４０の車番を読み取って、読み取った車番をサーバ装置１０Ｂに送信する（Ｓ６０１）。駐車券発行端末７０Ｂは、車両４０の駐車場への入場を検知して、駐車券ＩＤを記録した駐車券７５を発行し（Ｓ７０１Ｂ）、駐車券ＩＤをサーバ装置１０Ｂに送信する（Ｓ７０２Ｂ）。サーバ装置１０Ｂは、入場口車番読取器６０から車番を、駐車券発行端末７０Ｂから駐車券ＩＤをそれぞれ受信した場合に、車番と駐車券ＩＤとを対応付けて車番−駐車券テーブルに記憶する（Ｓ１０１Ｂ）。車番−駐車券テーブルの例を図８に示す。車番−駐車券テーブルは、サーバ装置１０Ｂの所定の記憶領域に記憶、保持されるものとする。
【００２９】
次に、特定エリア入場車番読取器１５は、特定駐車エリア４５に入場する車両４０の車番を読み取って、読み取った車番をサーバ装置１０Ｂに送信する（Ｓ１５１）。ステップＳ１５１は実施例１と同様である。サーバ装置１０Ｂは、特定エリア入場車番読取器１５から車番を受信した場合に、特定エリア入場車番読取器１５から受信した車番を、車番−駐車券テーブルにおいて対応する駐車券ＩＤと対応付けて特定車両リストに記憶する（Ｓ１０２Ｂ）。例えば図８の例において、特定エリア入場車番読取器１５から車番「多摩×××か××―××」を受信した場合に、この車番を車番−駐車券テーブルと照合し、対応する駐車券ＩＤである「２０１５××××××０２」と車番「多摩×××か××―××」を対応付けて特定車両リストに記憶する。
【００３０】
以下はサービス券の発行に際して実行される本システムの動作である。本実施例では、実施例１の車番記録媒体２５の代わりに駐車券７５が用いられる。前述したように、駐車券７５には駐車券ＩＤが書き込まれている。駐車券ＩＤは、例えば磁気方式などで駐車券７５に書き込み可能である。
【００３１】
サービス券発行端末３０Ｂは、実施例１と同様に、例えば駐車場の出口付近、または付属する店舗内などに設置され、駐車券７５を読み込んで、駐車券７５から駐車券ＩＤを取得する（Ｓ３０１Ｂ）。サービス券発行端末３０Ｂは、取得した駐車券ＩＤを含む問い合わせをサーバ装置１０Ｂに送信する（Ｓ３０２Ｂ）。
【００３２】
サーバ装置１０Ｂは、サービス券発行端末３０Ｂから問い合わせを受信した場合に、問い合わせに含まれる駐車券ＩＤと特定車両リストとを照合し、特定車両リスト内に問い合わせに含まれる駐車券ＩＤが存在する場合には、サービス券発行許可情報をサービス券発行端末３０Ｂに送信する（Ｓ１０３Ｂ）。一方、サーバ装置１０Ｂは、特定車両リスト内に問い合わせに含まれる駐車券ＩＤが存在しない場合には、サービス券発行許可情報をサービス券発行端末３０Ｂに送信しない。この場合サーバ装置１０Ｂは、サービス券発行許可情報の代わりにサービス券発行拒否情報をサービス券発行端末３０Ｂに送信してもよい。
【００３３】
サービス券発行端末３０Ｂは、サーバ装置１０Ｂからサービス券発行許可情報を受信した場合に、サービス券を発行する（Ｓ３０３）。ステップＳ３０３は実施例１と同様である。以下、ステップＳ３５１、Ｓ２０１などは実施例１と同様に実行される。
【００３４】
最後に、出場口車番読取器６５は、駐車場から出場する車両４０の車番を読み取って、読み取った車番をサーバ装置１０Ｂに送信する（Ｓ６５１）。サーバ装置１０Ｂは、出場口車番読取器６５から受信した車番に基づいて、対応するデータの後処理（削除など）を実行する。
【００３５】
本実施例のサービス券発行システム２によれば、実施例１と同様の効果を奏する。また本実施例のサービス券発行システム２は、既存の駐車券システムと組み合わせたことにより、実施例１で用いられた車番記録媒体２５を駐車券と代替することができ、ユーザがカードを発行する手間、ユーザが車番を手入力する手間を省くことができる。
【実施例３】
【００３６】
以下、図９、図１０を参照して、駐輪場において実施例１と同様のサービスを実現することができる実施例３のサービス券発行システムについて説明する。図９は、本実施例のサービス券発行システム３の構成を示すブロック図である。図１０は、本実施例のサービス券発行システム３の動作を示すシーケンス図である。図９に示すように、本実施例のサービス券発行システム３は、サーバ装置１０Ｃと、特定エリア入場ＲＦＩＤ読取器８０と、特定エリア出場ＲＦＩＤ読取器８５と、ＲＦＩＤ番号記録媒体９５と、サービス券発行端末３０Ｃと、ＰＯＳ端末３５を含む。特定エリア入場ＲＦＩＤ読取器８０、および特定エリア出場ＲＦＩＤ読取器８５は特定駐輪エリア４５’内に存在するものとする。サーバ装置１０Ｃ、特定エリア入場ＲＦＩＤ読取器８０、特定エリア出場ＲＦＩＤ読取器８５、サービス券発行端末３０Ｃはネットワーク５０を介して通信可能に接続されている。
【００３７】
本実施例では、実施例１に登場した「車番」の概念を「ＲＦＩＤ番号」に、「車両４０」の概念を「自転車９０」に、「駐車場」の概念を「駐輪場」に、「特定駐車エリア４５」の概念を「特定駐輪エリア４５’」に置き換えたものに相当する。なお、特定駐輪エリア４５’は実施例１と同様、利用者から敬遠されやすい駐輪エリアであるものとする。
【００３８】
図１０に示すように、特定エリア入場ＲＦＩＤ読取器８０は、駐輪場内の特定のエリアである特定駐輪エリア４５’に入場する自転車９０のＲＦＩＤ番号を読み取って、読み取ったＲＦＩＤ番号をサーバ装置１０Ｃに送信する（Ｓ８０１）。サーバ装置１０Ｃは、ＲＦＩＤ番号を受信した場合に、受信したＲＦＩＤ番号を特定車両リストに記憶する（Ｓ１０２Ｃ）。
【００３９】
サービス券発行端末３０Ｃは、ＲＦＩＤ番号を記録した媒体であるＲＦＩＤ番号記録媒体９５からＲＦＩＤ番号を取得した場合に（Ｓ３０１Ｃ）、取得したＲＦＩＤ番号を含む問い合わせをサーバ装置１０Ｃに送信する（Ｓ３０２Ｃ）。ＲＦＩＤ番号記録媒体９５は必須ではなく、実施例１と同様にサービス券発行端末３０Ｃに文字や数字を入力可能な入力部を設けておき、利用者がサービス券発行の際に自身のＲＦＩＤ番号を入力部に手動で入力する構成としてもよい。
【００４０】
サーバ装置１０Ｃは、サービス券発行端末３０Ｃから問い合わせを受信した場合に、問い合わせに含まれるＲＦＩＤ番号と特定車両リストとを照合し、特定車両リスト内に問い合わせに含まれるＲＦＩＤ番号が存在する場合には、サービス券発行許可情報をサービス券発行端末３０Ｃに送信する（Ｓ１０３Ｃ）。
【００４１】
サービス券発行端末３０Ｃは、サーバ装置１０Ｃからサービス券発行許可情報を受信した場合に、サービス券を発行する（Ｓ３０３）。以下の動作（ステップＳ３５１、Ｓ８５１）は実施例１と同様である。
【００４２】
本実施例のサービス券発行システム３によれば、駐輪場においても実施例１と同様の効果を奏する。また本実施例のサービス券発行システム３は、ＲＦＩＤタグを用いたため、車番という概念が存在しない自転車においても利用可能となり、特定駐輪エリア４５’が利用者から敬遠されがちなエリアであった場合でも、そのエリアの利用を促進することができる。
【実施例４】
【００４３】
以下、図１１、図１２を参照して、駐輪場において実施例２と同様のサービスを実現することができる実施例４のサービス券発行システムについて説明する。図１１は、本実施例のサービス券発行システム４の構成を示すブロック図である。図１２は、本実施例のサービス券発行システム４の動作を示すシーケンス図である。図１１に示すように、本実施例のサービス券発行システム４は、サーバ装置１０Ｄと、特定エリア入場ＲＦＩＤ読取器８０と、特定エリア出場ＲＦＩＤ読取器８５と、サービス券発行端末３０Ｄと、ＰＯＳ端末３５と、入場口ＲＦＩＤ読取器００と、出場口ＲＦＩＤ読取器０５と、駐輪券発行端末７０Ｄと、駐輪券７５Ｄを含む構成である。特定エリア入場ＲＦＩＤ読取器８０、特定エリア出場ＲＦＩＤ読取器８５は実施例３と同様に、特定駐輪エリア４５’内に存在するものとする。入場口ＲＦＩＤ読取器００、出場口ＲＦＩＤ読取器０５、および駐輪券発行端末７０Ｄは、駐輪場の入出場口が含まれるエリアである入出場口エリア５５’内に存在するものとする。サーバ装置１０Ｄ、特定エリア入場ＲＦＩＤ読取器８０、特定エリア出場ＲＦＩＤ読取器８５、サービス券発行端末３０Ｄ、入場口ＲＦＩＤ読取器００、出場口ＲＦＩＤ読取器０５、および駐輪券発行端末７０Ｄはネットワーク５０を介して通信可能に接続されている。
【００４４】
図１２に示すように、入場口ＲＦＩＤ読取器００は、駐輪場に入場する自転車９０のＲＦＩＤ番号を読み取って、読み取ったＲＦＩＤ番号をサーバ装置１０Ｄに送信する（Ｓ００１）。
【００４５】
駐輪券発行端末７０Ｄは、自転車９０の駐輪場への入場を検知して、駐輪券ＩＤを記録した駐輪券７５Ｄを発行し（Ｓ７０１Ｄ）、駐輪券ＩＤをサーバ装置１０Ｄに送信する（Ｓ７０２Ｄ）。
【００４６】
サーバ装置１０Ｄは、入場口ＲＦＩＤ読取器００からＲＦＩＤ番号を、駐輪券発行端末７０Ｄから駐輪券ＩＤをそれぞれ受信した場合に、ＲＦＩＤ番号と駐輪券ＩＤとを対応付けてＲＦＩＤ番号−駐輪券テーブルに記憶する（Ｓ１０１Ｄ）。
【００４７】
特定エリア入場ＲＦＩＤ読取器８０は、特定駐輪エリア４５’に入場する自転車９０のＲＦＩＤ番号を読み取って、読み取ったＲＦＩＤ番号をサーバ装置１０Ｄに送信する（Ｓ８０１）。
【００４８】
サーバ装置１０Ｄは、特定エリア入場ＲＦＩＤ読取器８０からＲＦＩＤ番号を受信した場合に、特定エリア入場ＲＦＩＤ読取器８０から受信したＲＦＩＤ番号を、ＲＦＩＤ番号−駐輪券テーブルにおいて対応する駐輪券ＩＤと対応付けて特定車両リストに記憶する（Ｓ１０２Ｄ）。
【００４９】
サービス券発行端末３０Ｄは、駐輪券７５Ｄから駐輪券ＩＤを取得した場合に、取得した駐輪券ＩＤを含む問い合わせをサーバ装置１０Ｄに送信する（Ｓ３０２Ｄ）。
【００５０】
サーバ装置１０Ｄは、サービス券発行端末３０Ｄから問い合わせを受信した場合に、問い合わせに含まれる駐輪券ＩＤと特定車両リストとを照合し、特定車両リスト内に問い合わせに含まれる駐輪券ＩＤが存在する場合には、サービス券発行許可情報をサービス券発行端末３０Ｄに送信する（Ｓ１０３Ｄ）。
【００５１】
サービス券発行端末３０Ｄは、サーバ装置１０Ｄからサービス券発行許可情報を受信した場合に、サービス券を発行する（Ｓ３０３）。以下の動作（ステップＳ３５１、Ｓ８５１、Ｓ０５１）は実施例２と同様である。
【００５２】
本実施例のサービス券発行システム４によれば、駐輪場においても実施例２と同様の効果を奏する。また本実施例のサービス券発行システム４は、ＲＦＩＤタグを用いたため、車番という概念が存在しない自転車においても利用可能となり、特定駐輪エリア４５’が利用者から敬遠されがちなエリアであった場合でも、そのエリアの利用を促進することができる。
【００５３】
＜補記＞
本発明の装置は、例えば単一のハードウェアエンティティとして、キーボードなどが接続可能な入力部、液晶ディスプレイなどが接続可能な出力部、ハードウェアエンティティの外部に通信可能な通信装置（例えば通信ケーブル）が接続可能な通信部、ＣＰＵ（Central Processing Unit、キャッシュメモリやレジスタなどを備えていてもよい）、メモリであるＲＡＭやＲＯＭ、ハードディスクである外部記憶装置並びにこれらの入力部、出力部、通信部、ＣＰＵ、ＲＡＭ、ＲＯＭ、外部記憶装置の間のデータのやり取りが可能なように接続するバスを有している。また必要に応じて、ハードウェアエンティティに、ＣＤ−ＲＯＭなどの記録媒体を読み書きできる装置（ドライブ）などを設けることとしてもよい。このようなハードウェア資源を備えた物理的実体としては、汎用コンピュータなどがある。
【００５４】
ハードウェアエンティティの外部記憶装置には、上述の機能を実現するために必要となるプログラムおよびこのプログラムの処理において必要となるデータなどが記憶されている（外部記憶装置に限らず、例えばプログラムを読み出し専用記憶装置であるＲＯＭに記憶させておくこととしてもよい）。また、これらのプログラムの処理によって得られるデータなどは、ＲＡＭや外部記憶装置などに適宜に記憶される。
【００５５】
ハードウェアエンティティでは、外部記憶装置（あるいはＲＯＭなど）に記憶された各プログラムとこの各プログラムの処理に必要なデータが必要に応じてメモリに読み込まれて、適宜にＣＰＵで解釈実行・処理される。その結果、ＣＰＵが所定の機能（上記、…部、…手段などと表した各構成要件）を実現する。
【００５６】
本発明は上述の実施形態に限定されるものではなく、本発明の趣旨を逸脱しない範囲で適宜変更が可能である。また、上記実施形態において説明した処理は、記載の順に従って時系列に実行されるのみならず、処理を実行する装置の処理能力あるいは必要に応じて並列的にあるいは個別に実行されるとしてもよい。
【００５７】
既述のように、上記実施形態において説明したハードウェアエンティティ（本発明の装置）における処理機能をコンピュータによって実現する場合、ハードウェアエンティティが有すべき機能の処理内容はプログラムによって記述される。そして、このプログラムをコンピュータで実行することにより、上記ハードウェアエンティティにおける処理機能がコンピュータ上で実現される。
【００５８】
この処理内容を記述したプログラムは、コンピュータで読み取り可能な記録媒体に記録しておくことができる。コンピュータで読み取り可能な記録媒体としては、例えば、磁気記録装置、光ディスク、光磁気記録媒体、半導体メモリ等どのようなものでもよい。具体的には、例えば、磁気記録装置として、ハードディスク装置、フレキシブルディスク、磁気テープ等を、光ディスクとして、ＤＶＤ（Digital Versatile Disc）、ＤＶＤ−ＲＡＭ（Random Access Memory）、ＣＤ−ＲＯＭ（Compact Disc Read Only Memory）、ＣＤ−Ｒ（Recordable）／ＲＷ（ReWritable）等を、光磁気記録媒体として、ＭＯ（Magneto-Optical disc）等を、半導体メモリとしてＥＥＰ−ＲＯＭ（Electronically Erasable and Programmable-Read Only Memory）等を用いることができる。
【００５９】
また、このプログラムの流通は、例えば、そのプログラムを記録したＤＶＤ、ＣＤ−ＲＯＭ等の可搬型記録媒体を販売、譲渡、貸与等することによって行う。さらに、このプログラムをサーバコンピュータの記憶装置に格納しておき、ネットワークを介して、サーバコンピュータから他のコンピュータにそのプログラムを転送することにより、このプログラムを流通させる構成としてもよい。
【００６０】
このようなプログラムを実行するコンピュータは、例えば、まず、可搬型記録媒体に記録されたプログラムもしくはサーバコンピュータから転送されたプログラムを、一旦、自己の記憶装置に格納する。そして、処理の実行時、このコンピュータは、自己の記録媒体に格納されたプログラムを読み取り、読み取ったプログラムに従った処理を実行する。また、このプログラムの別の実行形態として、コンピュータが可搬型記録媒体から直接プログラムを読み取り、そのプログラムに従った処理を実行することとしてもよく、さらに、このコンピュータにサーバコンピュータからプログラムが転送されるたびに、逐次、受け取ったプログラムに従った処理を実行することとしてもよい。また、サーバコンピュータから、このコンピュータへのプログラムの転送は行わず、その実行指示と結果取得のみによって処理機能を実現する、いわゆるＡＳＰ（Application Service Provider）型のサービスによって、上述の処理を実行する構成としてもよい。なお、本形態におけるプログラムには、電子計算機による処理の用に供する情報であってプログラムに準ずるもの（コンピュータに対する直接の指令ではないがコンピュータの処理を規定する性質を有するデータ等）を含むものとする。
【００６１】
また、この形態では、コンピュータ上で所定のプログラムを実行させることにより、ハードウェアエンティティを構成することとしたが、これらの処理内容の少なくとも一部をハードウェア的に実現することとしてもよい。
【図１】
2017111524.tif 000003
【図２】
2017111524.tif 000004
【図３】
2017111524.tif 000005
【図４】
2017111524.tif 000006
【図５】
2017111524.tif 000007
【図６】
2017111524.tif 000008
【図７】
2017111524.tif 000009
【図８】
2017111524.tif 000010
【図９】
2017111524.tif 000011
【図１０】
2017111524.tif 000012
【図１１】
2017111524.tif 000013
【図１２】
2017111524.tif 000014